(57)【要約】      （修正有）【課題】一個の円筒容器の中に、二区画に仕切られたニ区分の収納部を形成し、異種物品が各別に収納出来、各別に収納物品を取出せると共に、透明な合成樹脂板を介して収納残量等が瞬時に把握出来、反発性のある合成樹脂板は、キャップと適度に圧接されて密閉性が出現し、キャップの脱落を阻止出来、且つブリキ等の鋼板をキャップ素材とすることで、変形のない円筒容器を提供する。【解決手段】周縁には周壁を備えた同径よりなる円形の上キャップ及び下キャップと、一枚の反発性を備えた長方形の合成樹脂板であって、上キャップと下キャップの周壁の内側に嵌合される胴部形成部片とにより成り、胴部形成部片には、両端縁から両キャップの内側直径に相当する位置で、幅方向に略直角に折曲され、折曲部で円筒容器を二分する仕切壁が形成される。【選択図】図２
0003109942.tif 000002
【実用新案登録請求の範囲】
【請求項１】
周縁には周壁（３、３ａ）を備えた同径よりなる円形の上キャップ（１）及び下キャップ（２）と、一枚の反発性を備えた長方形の合成樹脂板（７）であって、上キャップ（１）と下キャップ（２）の周壁（３、３ａ）の内側に嵌合される胴部形成部片（４）とにより成り、胴部形成部片（４）には、該両端縁（８、８ａ）から両キャップ（１、２）の内側直径に相当する位置で、幅方向に略直角に折曲され、該折曲部（５、５ａ）で円筒容器を二分する仕切壁（６、６ａ）が形成されたことを特徴とする円筒容器。
【請求項２】
胴部形成部片（４）には、透明で屈曲自在な反発性を備えた合成樹脂板（７）が用いられる請求項１記載の円筒容器。
【請求項３】
胴部形成部片（４）の上下に嵌合される上キャップ（１）と下キャップ（２）は、そのいずれか一方若しくは双方が脱着自在に形成される請求項１記載の円筒容器。
【請求項４】
胴部形成部片（４）の上下に嵌合される上キャップ（１）と下キャップ（２）は、鋼板等の硬質素材が用いられる請求項１記載の円筒容器。
【考案の詳細な説明】
【技術分野】
【０００１】
この考案は、上キャップと下キャップ、その両キャップ間に配する胴部形成部片とによってなる、組立て容易で、二区画に収納物品を区分出来る円筒容器に関する。
【背景技術】
【０００２】
従来より収納物品の収納状態が確認出来るように、容器の胴部に透明な合成樹脂製の素材を用いた円筒容器や角柱容器は周知され、瞬時に収納物品の収納容量等が把握出来る利便性を備えたものである。斯かる容器は、その構造上、一種類の物品のみ収納出来るもので、二種の異なった物品を各別に収納し得ると同時に、二種の物品を個別に取り出せる機能は具備しないものである。従って、二種の物品には常に二個の容器が必要となり、不経済であると共に、容器による占有面積が広くなる欠陥を備えるものであった。例えば、実開平５−５１３４８号に示されるものは、容器入り芳香剤に関するものであって、透明容器内には、上段が黄色のゲル状芳香剤で、下段がピンク色のゲル状芳香剤とする二種類の異なる色彩のゲル状芳香剤が順次積層されて、透明容器から複数の色彩を放って優れた装飾的効果を発揮出来ると共に、香りの異なった二種類の香りの変化が楽しめる、と謂うものであるが、斯かる技術は、単に異なるゲル状芳香剤を透明容器の上段と下段とに配したに過ぎず、区画された区分に夫々の異なる物品を収納させ、この収納物品を各別に取り出せる構造のものではない。
【特許文献１】実開平５−５１３４８号公報
【考案の開示】
【考案が解決しようとする課題】
【０００３】
然るにこの考案が茲に開発した円筒容器にあっては、既述従来の欠陥に鑑みて鋭意研究の結果に開発されたものであって、一個の円筒容器の中に、二区画に仕切られたニ区分の収納部を形成し、その各収納部内に流動性物品以外の、異種の物品が各別に収納出来ると同時に、各収納物品を各別に取出すことが可能で、且つ収納物品を透明な合成樹脂板を介して常に認識出来、残量等の収納状態も瞬時に把握し得、更には、透明な胴部形成部片は、一枚の反発性の有る合成樹脂板であるので、キャップ内壁に沿った円筒形を維持し、キャップは常に適度な密閉感があり、容易には脱落しない効果があり、また、鋼板等の硬質素材をキャップに用いるので、円筒容器が変形しない正常な外観を呈し得る円筒容器を提供することを目的とする。
【課題を解決するための手段】
【０００４】
既述した目的を有効に達成するがために、本考案になる円筒容器にあっては、周縁には周壁３、３ａを備えた同径よりなる円形の上キャップ１及び下キャップ２と、一枚の反発性を備えた長方形の合成樹脂板７であって、上キャップ１と下キャップ２の周壁３、３ａの内側に嵌合される胴部形成部片４とにより成り、胴部形成部片４には、該両端縁８、８ａから両キャップ１、２の内側直径に相当する位置で、幅方向に略直角に折曲され、該折曲部５、５ａで円筒容器を二分する仕切壁６、６ａが形成された円筒容器を特徴とし、また胴部形成部片４には、透明で屈曲自在な反発性を備えた合成樹脂板７が用いられる円筒容器を特徴とし、また胴部形成部片４の上下に嵌合される上キャップ１と下キャップ２は、そのいずれか一方若しくは双方が脱着自在に形成される円筒容器を特徴とし、また胴部形成部片４の上下に嵌合される上キャップ１と下キャップ２は、鋼板等の硬質素材が用いられる円筒容器を特徴とするものである。
【考案の効果】
【０００５】
この考案によれば、一個の円筒容器の中に、二区画に仕切られたニ区分の収納部を形成して、異種物品が各別に収納出来、また各別に収納物品を取出せると共に、透明な合成樹脂板を介して収納残量等が瞬時に把握出来、反発性のある合成樹脂板であるため、キャップとは適度に圧接されて密閉性が出現し、キャップの脱落を阻止出来、且つブリキ等の鋼板をキャップ素材とすることで、変形のない円筒容器となる。
【実施例】
【０００６】
次いでこの考案による円筒容器に関する実施の一例について詳述する。
【０００７】
同径を備える円形の上キャップ１と下キャップ２は、ブリキ等の鋼板で硬質素材が使用され、その周縁には鍔状の周壁３、３ａが吊設された外観を呈し、任意の色彩、模様に両キャップ１、２の外側が描出されている。
【０００８】
斯かる上キャップ１と下キャップ２との間には、一枚の透明で屈曲自在な反発性を備えた長方形の合成樹脂板７を介在させ、この合成樹脂板７は、ポリエステルフィルム、ポリプロピレンフィルム、塩ビフィルム等で円形容器の周壁、即ち胴部形成部片４を形成するもので、上キャップ１と下キャップ２の周壁３、３ａの内側に嵌合されるものである。斯かる円筒容器は大形では直径７乃至１０cm、膜厚０．３mm、小形では直径５乃至７cm、膜厚０．２５mmで実施出来るが、それ以外でも勿論問題はない。
【０００９】
この胴部形成部片４は、その両端縁８、８ａから両キャップ１、２の内側直径に相当する位置で、幅方向に略直角に折曲され、こ折曲部５、５ａにて円筒容器を縦方向に二分する仕切壁６、６ａが形成されるのである。
【００１０】
斯かる仕切壁６、６ａは、円筒容器に於ける上キャップ１と下キャップ２の直径部分に相当する位置で、縦方向に二区画に仕切ることとなり、ニ区分の収納部に、例えば、白砂糖と茶色砂糖、茶葉とカーネーション、ボルトとナット等、その他異種物品が各別に収納されて出現するものとなる。いずれか一方のキャップの色彩を変更することで、蓋と底とを区別することも可能である。
【００１１】
斯様な円筒容器のいずれか一方のキャップを離脱させると、二重に重なった仕切壁６、６ａが出現し、このニ区分内に所望の異なった物品を収納した後、離脱したキャップを嵌合して密封性のある容器として供するものである。
【００１２】
この円筒容器は、組立て前は、三個の部品に分割出来るので、容器収納場所が広範とならず、狭い場所で多数の容器を保管出来、簡単に組立てが完了し、その廃棄、使い捨ても容易となるものである。
【図面の簡単な説明】
【００１３】
【図１】組立てた円筒容器の全体斜視図である。
【図２】一方のキャップを離脱した斜視図である。
【図３】胴部形成部片の展開図である。
【符号の説明】
【００１４】
１      上キャップ
２      下キャップ
３      周壁
３ａ    周壁
４      胴部形成部片
５      折曲部
５ａ    折曲部
６      仕切壁
６ａ    仕切壁
７      合成樹脂板
８      両端縁
８ａ    両端縁
【図１】
0003109942.tif 000003
【図２】
0003109942.tif 000004
【図３】
0003109942.tif 000005